(57)【要約】【課題】フィルタの交換周期を長くできるドライクリーニング装置を提供する。【解決手段】本ドライクリーニング装置は、タンクに蓄えられた石油系溶剤からなる洗浄液で処理槽の洗濯物を洗うドライクリーニングにおいて、ステンレス繊維製またはガラス繊維製の袋を収納した複数の除塵器と；洗浄液の流量計を備えたポンプと；活性炭を詰めた袋が複数段重ねられた収納容器をステンレス繊維製またはガラス繊維製の袋で覆った構造を有し、圧力計が備えられた濾過器と；回転槽の内部にステンレス繊維製またはガラス繊維製の袋が取り付けられ、除塵器または濾過器の汚れを逆洗浄によって回収する遠心分離型の集塵器と；が備えられる。【選択図】図１
2007130335.tif 000002
【特許請求の範囲】
【請求項１】
タンクに蓄えられた石油系溶剤からなる洗浄液により処理槽の洗濯物を洗うドライクリーニングにおいて、
ステンレス繊維製またはガラス繊維製の袋を収納した複数の除塵器と、前記洗浄液の流量計を備えたポンプと、活性炭を詰めた袋が複数段重ねられた収納容器をステンレス繊維製またはガラス繊維製の袋で覆った構造を有し、圧力計が備えられた濾過器と、回転槽の内部にステンレス繊維製またはガラス繊維製の袋が取り付けられ、前記除塵器または前記濾過器の汚れを逆洗浄によって回収する遠心分離型の集塵器と、が備えられたことを特徴とするドライクリーニング装置。
【請求項２】
前記除塵器のステンレス繊維製またはガラス繊維製の袋のフィルタリング精度は、前記濾過器のステンレス繊維製またはガラス繊維製の袋のフィルタリング精度よりも粗く、前記濾過器のフィルタリング精度は、前記活性炭のフィルタ精度より粗いことを特徴とする請求項１に記載のドライクリーニング装置。
【請求項３】
前記濾過器の吐出側に、無光触媒セラミックスと遠赤外線セラミックスが収納された活水器が設けられたことを特徴とする請求項１に記載のドライクリーニング装置。
【発明の詳細な説明】
【技術分野】
【０００１】
本発明は、フィルタの交換周期を長くしたドライクリーニング装置に関する。
【背景技術】
【０００２】
ドライクリーニング装置の洗浄液は、一般に油溶性の汚れを落とすため石油系溶剤が使用される。この洗浄液に、若干の洗剤と水が添加されて水溶性の汚れを落とすようにすることもある。洗濯物の汚れが洗浄液のタンクに沈殿すると、腐敗して腐敗臭を発するとともに、洗濯物に付着して仕上がりの品質を著しく落とすことになる。このためドライクリーニング装置には、通常２００メッシュ程度の紙製フィルタが装備され、洗浄液を汚れのない状態に保つようになっている。しかし、紙製フィルタは交換周期が短く、また、産業廃棄物として処理される費用も高額になることから、交換周期の長いフィルタが望まれている。なお、２００メッシュは、１インチあたり２００個の目の数が有ることを示し、目の大きさ（目開き）は、繊維に太さにもよるが８０ミクロン程度である。
【特許文献１】特開平６−９１０９３号公報
【発明の開示】
【発明が解決しようとする課題】
【０００３】
本発明の目的は、フィルタの交換周期を長くできるドライクリーニング装置を提供することにある。
【課題を解決するための手段】
【０００４】
本発明によるドライクリーニング装置は、タンクに蓄えられた石油系溶剤からなる洗浄液により処理槽の洗濯物を洗うドライクリーニングにおいて、ステンレス繊維製またはガラス繊維製の袋を収納した複数の除塵器と；前記洗浄液の流量計を備えたポンプと；活性炭を詰めた袋が複数段重ねられた収納容器をステンレス繊維製またはガラス繊維製の袋で覆った構造を有し、圧力計が備えられた濾過器と；回転槽の内部にステンレス繊維製またはガラス繊維製の袋が取り付けられ、前記除塵器または前記濾過器の汚れを逆洗浄によって回収する遠心分離型の集塵器と；が備えられたことを特徴とする。
【０００５】
前記除塵器のステンレス繊維製またはガラス繊維製の袋のフィルタリング精度は、前記濾過器のステンレス繊維製またはガラス繊維製の袋のフィルタリング精度よりも粗く、前記濾過器のフィルタリング精度は、前記活性炭のフィルタ精度より粗いことが好ましい。
【０００６】
前記濾過器の吐出側に、無光触媒セラミックスと遠赤外線セラミックスが収納された活水器が設けられることが好ましい。
【発明の効果】
【０００７】
本発明による請求項１のドライクリーニング装置によれば、除塵器および濾過器のフィルタをステンレス繊維製またはガラス繊維製の袋としたので紙製の袋に比較して交換周期を長くできる。また、除塵器および濾過器を逆洗浄することによって、フィルタの汚れを除去し、汚れを集塵器に回収するようにしたので、除塵器および濾過器のフィルタの使用期間をさらに長くできる。
【０００８】
本発明の請求項２によれば、除塵器のステンレス繊維製またはガラス繊維製の袋は、不溶性の比較的大きな汚れを補足する。濾過器のステンレス繊維製またはガラス繊維製の袋は、比較的小さな汚れを捕捉する。従って、効率のよいフィルタリングができる。１台目の除塵器が糸くずなどで目詰まりを起こしても２台目に切り換えることができる。その分、濾過器への影響が軽減されて、濾過器のフィルタをより長く使用することができる。また、濾過器内のステンレス繊維製またはガラス繊維製の袋は、比較的小さな汚れを捕捉して、微細な汚れを捕らえる活性炭への影響を軽減するから、活性炭の寿命を長くすることができる。
【０００９】
本発明の請求項３によれば、無光触媒セラミックスによって水の腐敗臭を脱臭することができる。また、遠赤外線セラミックスによって水を活性化することができる。
【発明を実施するための最良の形態】
【００１０】
以下、本発明の実施例を添付の図面を参照して詳細に説明する。
【実施例１】
【００１１】
図１は、本発明によるドラクリーニング装置のブロック図である。ドライクリーニング装置１００は、石油系溶剤を主成分とする洗浄液８０が蓄えられたタンク１と、洗濯物を洗う処理槽２を有する。洗浄液８０は浄化装置９０で汚れのない状態にされる。浄化装置９０は、２台の除塵器３と４、洗浄液の流量計５を備えたポンプ６、圧力計７を備えた濾過器８、活水器９、集塵器１０からなる。それぞれが配管によって連結され、適所にバルブが設けられる。除塵器３、４は、タンク１の洗浄液中に含まれる洗濯物から出た汚れを取り除くもので、切り替え可能に２台が設けられる。濾過器８は、除塵器３、４よりもさらに微細な汚れを取り除くように構成している。なお、洗浄液８０には、水溶性の汚れも取るため、１〜５％の水と若干の洗剤が加えられる。
【００１２】
洗濯物の汚れには、一般に、タンパク質や尿素などの水溶性の汚れと、皮脂、食用油などの油溶性の汚れと、ホコリや糸くずなどの不溶性の汚れがある。衣服を一日着用すると、衣服の布１ｇ当たり、タンパク質が５〜６ｍｇ、脂肪が２０〜４６ｍｇ、あわせて２５〜４６ｍｇが付着するとされる。そのため、総量で２０ｋｇのワイシャツを洗う場合、１回に５００ｇ（＝２５ｍｇ×２０ｋｇ×１／ｇ）〜９２０ｇ（＝４６ｍｇ×２０ｋｇ×１／ｇ）の汚れが出ることになる。これらの汚れに限らず、他の汚れを洗浄液から取り除いて、クリーンな状態に保つ必要がある。
【００１３】
タンク１から処理槽２に洗浄液８０を汲み上げるには、ポンプ６を作動させて洗浄液８０を、タンク１→バルブ３０→除塵器３→バルブ３６→流量計５→ポンプ６→バルブ４２→濾過器８→バルブ４４→活水器９→バルブ４６→処理槽２の経路で送る。除塵器３が除塵器４に切り替えられている場合は、タンク１→バルブ３１→除塵器４→バルブ３７→流量計５→ポンプ６→バルブ４２→濾過器８→バルブ４４→活水器９→バルブ４６→処理槽２の経路で送る。いずれの場合も、適時、処理槽２の洗浄液８０はバルブ４１を経由してタンク１に戻される。また、タンク１の洗浄液８０を浄化装置９０で浄化するには、例えば、洗浄液８０をタンク１→バルブ３０→除塵器４→バルブ３７→流量計５→ポンプ６→バルブ４２→濾過器８→バルブ４４→活水器９→バルブ４５→タンク１の経路で循環させる。なお、必要以外のバルブは閉じられているものとする。
【００１４】
除塵器３、４および濾過器８は、逆洗浄ができる。除塵器３の逆洗浄は、洗浄液８０がタンク１→バルブ３１→除塵器４→バルブ３７→流量計５→ポンプ６→バルブ３４→除塵器３→バルブ３２→バルブ３８→集塵器１０→バルブ４０→タンク１の通常とは逆の経路で循環される。除塵器４の逆洗浄は、洗浄液８０がタンク１→バルブ３０→除塵器３→バルブ３６→流量計５→ポンプ６→バルブ３５→除塵器４→バルブ３３→バルブ３８→集塵器１０→バルブ４０→タンク１の通常とは逆の経路で循環される。濾過器８の逆洗浄は、除塵器３を使用するとして、洗浄液８０がタンク１→バルブ３０→除塵器３→バルブ３６→流量計５→ポンプ６→バルブ４３→濾過器８→バルブ３９→集塵器１０→バルブ４０→タンク１の通常とは逆の経路で循環される。これによって、除塵器３、４および濾過器８の汚れを集塵器１０に回収することができる。
【００１５】
図２は、除塵器の構造図である。除塵器３、４は、直径が２５０ｍｍの円筒形で、本体５１の側面上部に流入管５２が、底部に吐出管５３が、上部にふた５０が設けられる。内部に多数のパンチ穴が設けられた保持容器５４がある。この保持容器５４に、フィルタとなる袋９１を取り付け、底部を紐で縛ることによって固定する。袋９１は、ステンレス繊維製でもガラス繊維製でもよい。フィルタの目開きは、１ｍｍ〜１０ミクロン程度まで種々のものがあるが、除塵器３、４としては、目の大きな目開き１ｍｍのものを採用した。メッシュでいうと１５メッシュ程度である。すなわち、除塵器３、４のフィルタリング精度は、１ｍｍ以上の大きな汚れの粒子を捕捉できるものとした。
【００１６】
除塵器３、４の切り替えは、流量計５の流量が１０％ダウンしたら行うとした。これによって、処理槽でのクリーニングを中断することなく実行できる。図１の構成では、ポンプ６が１台のため、洗濯物処理中に逆洗浄はできないが、専用ポンプを設けた場合、ドライクリーニング処理と逆洗浄が同時に実行できる。汚れがひどくダウンさせた除塵器３または４に、逆洗浄を適用して、ステンレス繊維製またはガラス繊維製の袋９１に付着した汚れが、除去できることを確認した。確認は、逆洗浄済の除塵器を使用して運転した時、流量計５の針が正常状態時の値に戻ることで良好と判定した。
【００１７】
図３は、濾過器の構造図である。濾過器８は、直径が４００ｍｍの円筒形で、本体５６の側面上部に流入管５７が、底部に吐出管５８が、上部にふた５５が設けられる。内部には活性炭５９の収納容器８２がある。活性炭５９は袋に入れられて積み重ねられる。収納容器８２は、ステンレス繊維製またはガラス繊維製の袋９２で覆われる。この袋９２は、目開きが１０ミクロンのフィルタを採用した。すなわち、フィルタリング精度は、１０ミクロン以上の汚れの粒子を捕捉できるものとした。このような精度のフィルタは、ステンレス繊維製でもガラス繊維製でも可能であって、不織布の形で市販されている。
【００１８】
濾過器８の容器には、圧力計７が設けられて、内部の圧力が０．１５〜０．２ＭＰａ（１．５〜２ｋｇｆ／ｃｍ２）と高くなったら、逆洗浄を行った。ステンレス繊維製またはガラス繊維製の袋９２を使用して、それぞれ半年間の逆洗浄を適用しながら使用したが、汚れを落として問題なく使用することができた。なお、活性炭５９は、ヤシガラ炭や木炭でよい。これらの活性炭には、０．１〜０．０１ミクロン程度の孔が多数あって、ここに汚れが吸着される。なお、内部の圧力が０．１５〜０．２ＭＰａとなった時、収納容器８２の一番上の活性炭の袋を取り去って、一番下に新しい活性炭の袋を補充した。
【００１９】
図４は、集塵器の構造図である。集塵器１０は、直径が３００ｍｍの円筒形で、ふた６０を有する本体６１の上部に流入管６２が、底部に吐出管６３が設けられる。内部にモータ６５で回転する回転槽６４があり、回転槽６４の内側をフィルタであるステンレス繊維製またはガラス繊維製の袋９３で覆った。このフィルタは、濾過器８のフィルタであるステンレス繊維製またはガラス繊維製に袋９２と同じ仕様で、１０ミクロンの目開きとした。回転槽６４を２００ｒｐｍ程度の比較的低速で回転させると、遠心力で比重の重い石油系溶剤が外側に出て、比重の軽い汚れ８１がステンレス繊維製またはガラス繊維製に袋９３に捕捉される。なお、モータ６５が回転して集塵が行われる時は、除塵器３、４または濾過器８からの逆洗浄の洗浄液を集塵器１０に投入しないようにした。つまり所定の逆洗浄液を本体６１の中に溜めてから一括処理した。
【００２０】
図５は、活水器の構造図である。活水器９は、直径が１００ｍｍの円筒形で、本体６７の側面上部に流入管６８が、底部に吐出管６９が、上部にふた６６が設けられる。内部に無光触媒セラミックス７０と遠赤外線セラミックス７１が収納されている。これによって、洗浄液８０に添加した水の脱臭と活性化を行う。無光触媒セラミックス７０は、無光触媒であるリン酸チタニウム化合物をセラミックス表面に固着させたものである。遠赤外線セラミックスは、常温で波長が１０ミクロン程度の遠赤外線を出すゲルマニウム入りのセラミックスである。
【産業上の利用可能性】
【００２１】
本発明は、ドライクリーニング装置のフィルタを長寿命化するものである。
【図面の簡単な説明】
【００２２】
【図１】図１は、本発明によるドライクリーニング装置のブロック図である。（実施例１）
【図２】除塵器の構造図である。（実施例１）
【図３】濾過器の構造図である。（実施例１）
【図４】集塵器の構造図である。（実施例１）
【図５】活水器の構造図である。（実施例１）
【符号の説明】
【００２３】
１    タンク
２    処理槽
３、４    除塵器
５    流量計
６    ポンプ
７    圧力計
８    濾過器
９    活水器
１０    集塵器
３０、３１、３２、３３    バルブ
３４、３５、３６、３７    バルブ
３８、３９、４０、４１    バルブ
４２、４３、４４、４５、４６    バルブ
５０    ふた
５１    本体
５２    流入管
５３    吐出管
５４    保持容器
５５    ふた
５６    本体
５７    流入管
５８    吐出管
５９    活性炭
６０    ふた
６１    本体
６２    流入管    
６３    吐出管    
６４    回転槽    
６５    モータ    
６６    ふた
６７    本体
６８    流入管
６９    吐出管
７０    無光触媒セラミックス
７１    遠赤外線セラミックス
８０    洗浄液
８１    汚れ
８２    収納容器
９０    浄化装置
９１    ステンレス繊維製又はガラス繊維製の袋（除塵器用）
９２    ステンレス繊維製又はガラス繊維製の袋（濾過器用）
９３    ステンレス繊維製又はガラス繊維製の袋（集塵器用）
１００    ドライクリーニング装置
【図１】
2007130335.tif 000003
【図２】
2007130335.tif 000004
【図３】
2007130335.tif 000005
【図４】
2007130335.tif 000006
【図５】
2007130335.tif 000007